(57)【要約】【課題】歯ブラシに適用され、虫歯を防止でき、保健効果を有するブラシ用毛及び歯ブラシを提供する。【解決手段】本考案は、複数の細菌抑制活性化粒が樹脂材料に均一に分布されて形成されたブラシ用毛本体１を含むことを特徴とするブラシ用毛であり、また、該ブラシ用毛をハンドル２に結合して構成されていることを特徴とする歯ブラシであり、さらに、前記ハンドル２は、樹脂材料と細菌抑制活性化粒とを一体成形されたものであることを特徴とする。【選択図】図２
0003180182.tif 000002
【実用新案登録請求の範囲】
【請求項１】
複数の細菌抑制活性化粒が樹脂材料に均一に分布されて形成されたブラシ用毛本体を含むことを特徴とするブラシ用毛。
【請求項２】
請求項１に記載のブラシ用毛をハンドルに結合して構成されていることを特徴とする歯ブラシ。
【請求項３】
前記ハンドルは、樹脂材料と細菌抑制活性化粒とを一体成形されたものであることを特徴とする請求項２に記載の歯ブラシ。
【考案の詳細な説明】
【技術分野】
【０００１】
本考案は、ブラシ用毛に関し、特に、歯ブラシに適用され、虫歯を防止でき、保健効果を有するブラシ用毛及び歯ブラシに関するものである。
【背景技術】
【０００２】
一般の歯ブラシは、構成及び機能が単純であり、歯を磨きたいときに、歯ブラシに歯磨きを付けることが必要である。歯を清潔するときには、歯磨きが主役であり、歯ブラシが補助工具だけであると見られる。また、歯ブラシは、浴室に置かれることが一般であるが、湿気がある浴室に歯ブラシを長時間に放置すると、歯ブラシの毛及びハンドルにカビが発生しやすい。一般の歯ブラシは細菌を抑制する効果を有しないため、細菌が歯ブラシの毛及びハンドルに付着して繁殖しやすい。このように、ユーザがこのような歯ブラシを利用すると、細菌やカビがユーザに食べられて、ユーザの健康に悪影響を与える。
【考案の概要】
【考案が解決しようとする課題】
【０００３】
本考案の主な目的は、歯ブラシに適用され、虫歯を防止でき、保健効果を有するブラシ用毛及び歯ブラシを提供することにある。
【課題を解決するための手段】
【０００４】
本考案のブラシ用毛は、複数の細菌抑制活性化粒が樹脂材料に均一に分布されて形成されたブラシ用毛本体を含むことを特徴とする。
また、本考案の歯ブラシは、前記ブラシ用毛をハンドルに結合して構成されていることを特徴とする。
また、本考案の歯ブラシにおいて、前記ハンドルは、樹脂材料と細菌抑制活性化粒とを一体成形されたものであることを特徴とする。
【０００５】
さらに、本考案のブラシ用毛によると、ブラシ用毛本体を含み、ブラシ用毛本体は、複数の細菌抑制活性化粒、フッ化物及び樹脂材料の混合物から、繊維を引き出して構成されるブラシ用毛において、細菌抑制活性化粒は、ナノ重合物によりマイナスイオン粒、ナノシルバー細菌抑制粒及びナノ遠赤外線粒を結合して構成され、ラミネートにより、ブラシ用毛本体の表面にフッ化物層が形成されることを特徴とする。
【０００６】
本考案のブラシ用毛によると、フッ化物は、フッ化ナトリウム、フッ化スズ、又はモノフルオロリン酸ナトリウムであり、フッ化物層は、フッ化ナトリウム層、フッ化スズ層、又はモノフルオロリン酸ナトリウム層であることを特徴とする。
【０００７】
本考案のブラシ用毛によると、ブラシ用毛は、ハンドルに結合して歯ブラシを形成できることを特徴とする。
【０００８】
本考案のブラシ用毛によると、ハンドルは、樹脂材料と複数の細菌抑制活性化粒を混合して一体成形されたものであることを特徴とする。
【考案の効果】
【０００９】
本考案のブラシ用毛によれば、次のような効果がある。
（１）本考案のブラシ用毛は、フッ化ナトリウム層を有するため、歯の表面に接触すると、歯の脱灰を防止でき、歯を再石灰化でき、そして歯の表面にフッ化ナトリウムを積み上げることができる。このように、フッ化物は、エナメル質の表面にあるカルシウムイオンを固定でき、歯のエナメル質の流失を防止でき、歯を保護するという目的を達成できる。
【００１０】
（２）本考案のブラシ用毛は、細菌抑制活性化粒を有するため、遠赤外線及びマイナスイオンを同時に放出でき、細胞を活性化でき、血行を促進でき、細菌抑制及び除臭効果を有し、歯ブラシが浴室に長時間に置かれても、細菌が繁殖できない。
【００１１】
（３）本考案のブラシ用毛は、ナノ粒同士の隙間が水分子よりも小さいため、水分子が本考案のブラシ用毛の表面に付着できない。このように、ブラシ用毛本体とハンドルとの表面に水分子が付着しにくくため、ブラシ用毛本体とハンドルとを乾燥状態に保持でき、細菌が繁殖しにくく、チリダニもブラシ用毛とハンドルとの表面に付着できない。
【００１２】
（４）本考案のブラシ用毛は、繊維を引き出して、ラミネートによりブラシ用毛本体の内部及び表面にフッ化物を形成する。フッ化物は、水に溶け易いため、歯を磨いているときに、ブラシ用毛本体の表面に形成されたフッ化物層が徐々に脱落して、歯の表面に保護膜を形成する。このような歯ブラシをある期間に利用すると、ブラシ用毛本体の表面に形成されたフッ化物層が完全に脱落してしまうが、ブラシ用毛本体の内部はフッ化物を有するため、フッ化物が持続に放出され、虫歯を防止でき、保健効果を有する。
【図面の簡単な説明】
【００１３】
【図１】本考案の一実施例の構成を示す模式図である。
【図１Ａ】本考案の一実施例の一部の構成を示す拡大断面図である。
【図２】本考案の一実施例がハンドルに結合された状態を示す模式図である。
【考案を実施するための最良の形態】
【００１４】
以下、本考案の実施の形態を図面に基づいて説明する。
図１及び図１Ａを参照する。図１は本考案の一実施例の構成を示す模式図であり、図１Ａは本考案の一実施例の一部の構成を示す拡大断面図である。本考案のブラシ用毛は、ブラシ用毛本体１を含む。ブラシ用毛本体１は、複数の細菌抑制活性化粒１０、フッ化物及び樹脂材料の混合物から、繊維を引き出して構成される。細菌抑制活性化粒１０は、ナノ重合物によりマイナスイオン粒１０１、ナノシルバー細菌抑制粒１０３及びナノ遠赤外線粒１０５を結合して構成される。これにより、複数の細菌抑制活性化粒１０は樹脂材料に均一に分布される。また、ラミネートにより、ブラシ用毛本体１の表面にフッ化物層１１が形成される。前記フッ化物は、フッ化ナトリウム、フッ化スズ、又はモノフルオロリン酸ナトリウムである。前記フッ化物層は、フッ化ナトリウム層、フッ化スズ層、又はモノフルオロリン酸ナトリウム層である。
【００１５】
本考案のブラシ用毛本体１は、歯ブラシに適用可能であり、図２に示すように、ハンドル２に結合して歯ブラシを形成できる。ハンドル２は樹脂材料と複数の細菌抑制活性化粒を混合して一体成形されたものである。このように、上記の歯ブラシを利用するときには、歯磨きを使用することが必要せず、ブラシ用毛本体１の表面には、フッ化ナトリウム層、フッ化スズ層、又はモノフルオロリン酸ナトリウム層などのフッ化物層１１が設けられており、歯を磨いているときに、フッ化物層１１が歯の表面と接触すると、歯の脱灰を防止でき、歯を再石灰化でき、そして歯の表面にフッ化ナトリウムを積み上げることができる。虫歯がある場合には、フッ化物層１１からのフッ化カルシウムがフッ素イオンを放出して脱灰した歯を修復し、残るフッ化カルシウムが歯の酸蝕症を防止できる。このように、フッ化物により、歯のエナメル質の流失を防止でき、歯を保護するという目的を達成できる。また、本考案のブラシ用毛本体１は、繊維を引き出して、ラミネートにより、ブラシ用毛本体１の内部及び表面にフッ化物を形成する。フッ化物は、水に溶け易いため、歯を磨いているときに、ブラシ用毛本体１の表面に形成されたフッ化物層１１が徐々に脱落して、歯の表面に保護膜を形成する。このような歯ブラシをある期間に利用すると、ブラシ用毛本体１の表面に形成されたフッ化物層１１が完全に脱落してしまうが、ブラシ用毛本体１の内部はフッ化物を有するため、フッ化物が持続に放出され、虫歯を防止でき、保健効果を有する。
【００１６】
また、本考案のブラシ用毛本体１とハンドル２とは、樹脂材料と複数の細菌抑制活性化粒を混合して一体成形されたものであるため、上記の歯ブラシを利用するときには、細菌抑制活性化粒１０内のナノ遠赤外線粒１０５により、遠赤外線が放出されて、細胞を活性化でき、血行を促進でき、なお、細菌抑制活性化粒１０内のマイナスイオン粒１０１により、血液を浄化でき、免疫力を増加でき、そして細菌抑制活性化粒１０内のナノシルバー細菌抑制粒１０３により、ナノシルバー細菌抑制粒１０３が細菌に直接に進入して、細菌の代謝を阻止して細菌の繁殖を抑制できる。このように、歯ブラシが浴室に長時間に置かれても、細菌が繁殖できない。
【００１７】
そして本考案のブラシ用毛は、ナノ粒同士の隙間が水分子よりも小さいため、水分子が本考案のブラシ用毛の表面に付着できない。このように、ブラシ用毛本体１とハンドル２との表面に水分子が付着しにくくため、ブラシ用毛本体１とハンドル２とを乾燥状態に保持でき、細菌が繁殖しにくく、チリダニもブラシ用毛本体１とハンドル２との表面に付着できない。
【００１８】
このように、本考案の特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【産業上の利用可能性】
【００１９】
本考案は、歯ブラシに適用することができる。
【符号の説明】
【００２０】
１：ブラシ用毛本体
２：ハンドル
１０：細菌抑制活性化粒
１１：フッ化物層
１０１：マイナスイオン粒
１０３：ナノシルバー細菌抑制粒
１０５：ナノ遠赤外線粒
【図１】
0003180182.tif 000003
【図１Ａ】
0003180182.tif 000004
【図２】
0003180182.tif 000005